(57)【要約】      （修正有）【課題】表示品位を改善する。【解決手段】第１方向Ｘ、及び、前記第１方向Ｘに対して直交する第２方向Ｙに並んだ複数の副画素ＳＰＲ，Ｇ，Ｂを備えた表示部ＤＡと、前記表示部ＤＡに重畳する光制御素子と、を備え、前記表示部ＤＡは、Ｌ視点の画像を表示するための複数の副画素ＳＰＲ，Ｇ，Ｂを備えた画素群を備え、前記光制御素子は、前記第１方向Ｘに並んだ複数の光制御部を備え、前記光制御部は、前記第１方向Ｘ及び前記第２方向Ｙのいずれとも異なる斜め方向に延出し、ｍ個の前記光制御部は、前記画素群に重畳し、Ｌ、ｍは、２以上の自然数であり、１個の前記光制御部は、前記第１方向Ｘに並んだＰ個の前記副画素ＳＰＲ，Ｇ，Ｂに重畳し、Ｐ＝Ｌ／３ｍの関係を満たす、表示装置。【選択図】図９
2019204075.tif 000002
【特許請求の範囲】
【請求項１】
第１方向、及び、前記第１方向に対して直交する第２方向に並んだ複数の副画素を備えた表示部と、
前記表示部に重畳する光制御素子と、を備え、
前記表示部は、Ｌ視点の画像を表示するための複数の副画素を備えた画素群を備え、
前記光制御素子は、前記第１方向に並んだ複数の光制御部を備え、
前記光制御部は、前記第１方向及び前記第２方向のいずれとも異なる斜め方向に延出し、
ｍ個の前記光制御部は、前記画素群に重畳し、
Ｌ、ｍは、２以上の自然数であり、
１個の前記光制御部は、前記第１方向に並んだＰ個の前記副画素に重畳し、
Ｐ＝Ｌ／３ｍ
の関係を満たす、表示装置。
【請求項２】
前記副画素は、前記第１方向に沿った第１幅と、前記第２方向に沿った第２幅とを有し、
前記第２幅は、前記第１幅のｎ倍であり、
ｎは、２以上の自然数であり、
前記光制御部は、前記第２方向に対して概略ａｒｃｔａｎ（２／３ｎ）を満たす角度で傾いている、請求項１に記載の表示装置。
【請求項３】
前記第１方向に隣接する前記副画素は、互いに異なる色を表示し、
前記第２方向に隣接する前記副画素は、同一色を表示する、請求項１または２に記載の表示装置。
【請求項４】
前記副画素は、それぞれ平行四辺形に形成され、前記第２方向に対して４°以上１６°以下の角度で傾いている、請求項１乃至３のいずれか１項に記載の表示装置。
【請求項５】
奇数行目の前記副画素、及び、偶数行目の前記副画素のうち、一方は、前記第２方向に対して時計回りに傾き、他方は、前記第２方向に対して反時計回りに傾いている、請求項４に記載の表示装置。
【請求項６】
前記光制御部は、前記第１方向に並んだ複数の前記副画素に重畳する遮光体及び少なくとも１つの前記副画素に重畳する開口を備える光規制体、または、前記第１方向に並んだ複数の前記副画素に重畳するレンズである、請求項１乃至５のいずれか１項に記載の表示装置。
【請求項７】
前記画素群は、観察面において順に並んだ視点のうち、奇数番目の視点に対応した副画素を備える第１ブロックと、偶数番目の視点に対応した副画素を備える第２ブロックと、を備え、
前記第１ブロック及び前記第２ブロックは、前記第１方向に並んでいる、請求項１乃至６のいずれか１項に記載の表示装置。
【請求項８】
前記光制御素子は、前記第１ブロックに重畳する第１光制御部と、前記第２ブロックに重畳する第２光制御部と、を備えている、請求項７に記載の表示装置。
【請求項９】
前記画素群は、観察面において順に並んだ視点のうち、ｃを１以上の整数としたとき、（３ｃ−２）で表される視点に対応した副画素を備える第１ブロックと、（３ｃ−１）で表される視点に対応した副画素を備える第２ブロックと、（３ｃ）で表される視点に対応した副画素を備える第３ブロックと、を備え、
前記第１ブロック、前記第２ブロック、及び、前記第３ブロックは、前記第１方向に並んでいる、請求項１乃至６のいずれか１項に記載の表示装置。
【請求項１０】
前記光制御素子は、前記第１ブロックに重畳する第１光制御部と、前記第２ブロックに重畳する第２光制御部と、前記第３ブロックに重畳する第３光制御部と、を備えている、請求項９に記載の表示装置。
【請求項１１】
前記表示部は、同一視点の画像を表示する副画素として、赤副画素、緑副画素、及び、青副画素を備え、
前記赤副画素、前記緑副画素、及び、前記青副画素は、前記光制御部が延出する方向に並んでいる、請求項１乃至１０のいずれか１項に記載の表示装置。
【請求項１２】
前記赤副画素、前記緑副画素、及び、前記青副画素は、前記画素群における１行目、４行目、及び、７行目にそれぞれ位置している、請求項１１に記載の表示装置。
【請求項１３】
前記表示部は、複数の前記画素群を備え、
前記第１方向に隣接する前記画素群は、前記第２方向にずれて配置されている、請求項１乃至１２のいずれか１項に記載の表示装置。
【発明の詳細な説明】
【技術分野】
【０００１】
本発明の実施形態は、表示装置に関する。
【背景技術】
【０００２】
近年、裸眼で立体視を可能とする多眼方式の表示装置が種々提案されている。このような表示装置においては、より自然な立体視を可能とすることが求められている。一例では、サブピクセル群を含む表示装置に重なった光線制御素子が第１方向とａｒｃｔａｎ（１／３）をなす方向に沿って所定の周期で光学特性が変化している技術が知られている。その他、レンズ素子がａｒｃｔａｎ（１／１２）、ａｒｃｔａｎ（１／１５）、ａｒｃｔａｎ（１／１６）にそれぞれ傾斜している技術も開示されている。
【先行技術文献】
【特許文献】
【０００３】
【特許文献１】特開２０１３−２３１７４５号公報
【特許文献２】特開２０１４−１６７４９３号公報
【発明の概要】
【発明が解決しようとする課題】
【０００４】
本実施形態の目的は、表示品位を改善することが可能な表示装置を提供することにある。
【課題を解決するための手段】
【０００５】
本実施形態によれば、  
第１方向、及び、前記第１方向に対して直交する第２方向に並んだ複数の副画素を備えた表示部と、
前記表示部に重畳する光制御素子と、を備え、
前記表示部は、Ｌ視点の画像を表示するための複数の副画素を備えた画素群を備え、
前記光制御素子は、前記第１方向に並んだ複数の光制御部を備え、
前記光制御部は、前記第１方向及び前記第２方向のいずれとも異なる斜め方向に延出し、
ｍ個の前記光制御部は、前記画素群に重畳し、
Ｌ、ｍは、２以上の自然数であり、
１個の前記光制御部は、前記第１方向に並んだＰ個の前記副画素に重畳し、
Ｐ＝Ｌ／３ｍ
の関係を満たす、表示装置が提供される。
【図面の簡単な説明】
【０００６】
【図１】図１は、本実施形態における表示装置１の第１構成例を示す断面図である。
【図２】図２は、図１に示した表示パネル１０の一構成例を示す平面図である。
【図３】図３は、図１に示した光制御素子２０の一構成例を示す断面図である。
【図４】図４は、図３に示した光制御素子２０の一構成例を示す平面図である。
【図５】図５は、本実施形態における表示装置１の第２構成例を示す断面図である。
【図６】図６は、本実施形態における表示装置１の第３構成例を示す断面図である。
【図７】図７は、光制御素子６０の一構成例を示す断面図である。
【図８】図８は、光制御素子６０の一構成例を示す平面図である。
【図９】図９は、表示部ＤＡにおける副画素ＳＰのレイアウトの第１例を示す図である。
【図１０Ａ】図１０Ａは、仮想の観察面ＶＰにおける視点と、観察される副画素ＳＰとの関係を示す図である。
【図１０Ｂ】図１０Ｂは、仮想の観察面ＶＰにおける視点と、観察される副画素ＳＰとの関係を示す図である。
【図１１】図１１は、図９に示した画素群Ｇのレイアウトを説明するための図である。
【図１２】図１２は、表示部ＤＡにおける副画素ＳＰのレイアウトの第２例を示す図である。
【図１３】図１３は、表示部ＤＡにおける副画素ＳＰのレイアウトの第３例を示す図である。
【図１４】図１４は、表示部ＤＡにおける副画素ＳＰのレイアウトの第４例を示す図である。
【図１５】図１５は、光制御部１００として光規制体２２を適用した場合に、視点「１」で観察される副画素ＳＰを示す平面図である。
【図１６】図１６は、光制御部１００としてレンズ６１を適用した場合に、視点「１」で観察される副画素ＳＰを示す平面図である。
【図１７】図１７は、比較例の光規制体２２を介して副画素ＳＰを観察する状態を示す図である。
【図１８】図１８は、第１構成例の光規制体２２を介して副画素ＳＰを観察する状態を示す図である。
【図１９】図１９は、副画素ＳＰの形状のバリエーションを示す図である。
【発明を実施するための形態】
【０００７】
以下、いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
≪第１構成例≫  
図１は、本実施形態における表示装置１の第１構成例を示す断面図である。図中において、第１方向Ｘ及び第２方向Ｙは互いに直交し、第３方向Ｚは第１方向Ｘ及び第２方向Ｙと直交している。第１方向Ｘ及び第２方向Ｙは、表示装置１を構成する基板の主面と平行な方向に相当し、第３方向Ｚは、表示装置１の厚さ方向に相当する。本明細書において、第１基板１１から第２基板１２に向かう方向を「上側」（あるいは、単に上）と称し、第２基板１２から第１基板１１に向かう方向を「下側」（あるいは、単に下）と称する。「第１部材の上の第２部材」及び「第１部材の下の第２部材」とした場合、第２部材は、第１部材に接していてもよいし、第１部材から離間していてもよい。また、第３方向Ｚを示す矢印の先端側に表示装置１を観察する観察位置があるものとし、この観察位置から、第１方向Ｘ及び第２方向Ｙによって規定されるＸ−Ｙ平面に向かって観察することを平面視という。
【０００９】
表示装置１は、表示パネル１０と、光制御素子２０と、照明装置３０と、を備えている。表示パネル１０は、例えば液晶パネルである。表示パネル１０は、第１基板１１及び第２基板１２を備えている。第２基板１２は、第１基板１１の上に位置している。光制御素子２０は、表示パネル１０の上に位置している。光制御素子２０は、後に詳述するが、複数の光制御部を備えている。光制御素子２０は、透明樹脂４０により表示パネル１０に固定されている。照明装置３０は、表示パネル１０の下に位置している。第１偏光板５１は、第１基板１１の下面１１Ｂに接着されている。第２偏光板５２は、光制御素子２０の上面２０Ａに接着されている。  
第２偏光板５２は、第２基板１２の上面１２Ａに接着されてもよいし、光制御素子２０の下面２０Ｂに接着されてもよい。また、光制御素子２０は、第１偏光板５１と第１基板１１との間、または、照明装置３０と第１偏光板５１との間に位置していてもよい。また、光制御素子２０は、表示パネル１０に内蔵されていてもよい。
【００１０】
なお、表示パネル１０は、液晶パネルに限らず、有機エレクトロルミネッセンス表示素子やμＬＥＤ等を有する自発光型の表示パネル、電気泳動素子等を有する電子ペーパ型の表示パネルであってもよい。  
表示パネル１０は、例えば、第１基板１１の背面側からの光を選択的に透過させることで画像を表示する透過型の表示パネルである。なお、表示パネル１０は、第２基板１２の前面側からの光を選択的に反射させることで画像を表示する反射型の表示パネルであってもよいし、透過表示機能及び反射表示機能を備える表示パネルであってもよい。表示パネル１０が反射型の表示パネルである場合、照明装置３０が省略されてもよいし、照明装置３０が表示パネル１０の上に位置していてもよい。
【００１１】
図２は、図１に示した表示パネル１０の一構成例を示す平面図である。表示パネル１０は、平面視で第１基板１１及び第２基板１２が重畳する部分に表示部ＤＡを備えている。表示部ＤＡは、第１方向Ｘ及び第２方向Ｙに並んだ複数の副画素ＳＰを備えている。一例では、表示部ＤＡは、副画素ＳＰとして、赤色を表示する赤副画素ＳＰＲと、緑色を表示する緑副画素ＳＰＧと、青色を表示する青副画素ＳＰＢと、を備えている。図２においては、赤副画素ＳＰＲは第２方向Ｙに平行な縦線のパターンで示し、緑副画素ＳＰＧは第１方向Ｘに平行な横線のパターンで示し、青副画素ＳＰＢは格子のパターンで示している。なお、以下の説明において、副画素の色について言及しない場合には、単に副画素ＳＰと称して説明する場合がある。第１方向Ｘは水平方向と称される場合があり、第２方向Ｙは垂直方向と称される場合がある。第１方向Ｘに並んだ複数の副画素ＳＰは「行」を構成し、第２方向Ｙに並んだ複数の副画素ＳＰは「列」を構成する。
【００１２】
第１方向Ｘに隣接する２つの副画素ＳＰは、互いに異なる色を表示する副画素に相当する。第２方向Ｙに隣接する２つの副画素ＳＰは、同一色を表示する副画素に相当する。図２に示した例では、赤副画素ＳＰＲ、緑副画素ＳＰＧ、及び、青副画素ＳＰＢは、この順に第１方向Ｘに並び、また、同一色の副画素ＳＰが第２方向Ｙに並んでいる。
【００１３】
赤副画素ＳＰＲ、緑副画素ＳＰＧ、及び、青副画素ＳＰＢは、それぞれ平行四辺形に形成され、第２方向Ｙに対して４°以上１６°以下の角度θ１で傾いている。また、赤副画素ＳＰＲ、緑副画素ＳＰＧ、及び、青副画素ＳＰＢは、それぞれ同じ寸法を有しており、第１方向Ｘに沿った第１幅ＷＸと、第２方向Ｙに沿った第２幅ＷＹと、を有している。第２幅ＷＹは、第１幅ＷＸより大きい。第１幅ＷＸは、副画素ＳＰの第１方向Ｘに沿ったピッチに相当し、また、隣接する信号線ＳＬの第１方向Ｘに沿ったピッチに相当する。第２幅ＷＹは、副画素ＳＰの第２方向Ｙに沿ったピッチに相当し、また、隣接する走査線ＧＬの第２方向Ｙに沿ったピッチに相当する。
【００１４】
例えば、ｎ色の副画素が第１方向Ｘに並び、これらｎ個の副画素のセットが第１方向Ｘに並んでいる場合には、第２幅ＷＹは、第１幅ＷＸのｎ倍である。ｎは、２以上の自然数である。図２に示した例では、ｎは３である。このため、第２幅ＷＹは、第１幅ＷＸの約３倍である。
【００１５】
表示部ＤＡにおいて、奇数行目ＬＡに位置する副画素ＳＰは、偶数行目ＬＢに位置する副画素ＳＰとは異なる方向に傾いている。但し、奇数行目ＬＡに位置する副画素ＳＰと第２方向Ｙとのなす角度は、偶数行目ＬＢに位置する副画素ＳＰと第２方向Ｙとのなす角度と同一である。  
例えば、奇数行目ＬＡに位置する副画素ＳＰは、いずれも第２方向Ｙに対して時計回りに角度θ１で傾いている。一方、偶数行目ＬＢに位置する副画素ＳＰは、いずれも第２方向Ｙに対して反時計回りに角度θ１で傾いている。なお、奇数行目ＬＡに位置する副画素ＳＰが第２方向Ｙに対して反時計回りに角度θ１で傾き、偶数行目ＬＢに位置する副画素ＳＰが第２方向Ｙに対して時計回りに角度θ１で傾いていてもよい。
【００１６】
図３は、図１に示した光制御素子２０の一構成例を示す断面図である。光制御素子２０は、基材２１と、複数の光規制体２２と、を備えている。基材２１は、ガラスや樹脂などの透明基板である。光規制体２２は、自身を透過する光線を制限するものであり、光制御部として機能する。光規制体２２は、一例として、第１方向Ｘに並んだ複数の副画素ＳＰに重畳する遮光体２３と、少なくとも１個の副画素ＳＰに重畳する開口２４と、を備えている。換言すると、複数の遮光体２３は、開口２４の幅に相当する間隔をおいて第１方向Ｘに並んでいる。遮光体２３は、その光学濃度（ＯＤ値）が３以上であることが望ましい。遮光体２３は、光吸収体であってもよいし、光反射体であってもよい。遮光体２３は、クロム、モリブデン、あるいは銀を含む化合物などの金属材料によって形成されてもよいし、黒色の樹脂材料によって形成されてもよい。本実施の形態では、例えば光規制体２２として、エマルジョンマスクを用いる。
【００１７】
遮光体２３は幅Ｗ２３を有し、開口２４は幅Ｗ２４を有している。なお、ここでの幅Ｗ２３及び幅Ｗ２４は、いずれも第１方向Ｘに沿った長さである。１個の光規制体２２の幅Ｗ２２、あるいは、第１方向Ｘに並んだ光規制体２２のピッチは、幅Ｗ２３と幅Ｗ２４との和に相当する。  
幅Ｗ２３は、幅Ｗ２４より大きい。一例では、第１方向Ｘに並んだ２個の光規制体２２は、２３個の副画素ＳＰに重畳している。第１方向Ｘに隣接する開口２４は、互いに異なる色の副画素ＳＰに重畳している。例えば、図３の左側に位置する開口２４は赤副画素ＳＰＲに重畳し、図３の右側に位置する開口２４は青副画素ＳＰＢに重畳している。
【００１８】
図３に示した例では、幅Ｗ２４は、副画素ＳＰの第１幅ＷＸより大きいが、この例に限定されるものではない。幅Ｗ２４は第１幅ＷＸと同等であってもよいし、幅Ｗ２４は第１幅ＷＸより小さくてもよい。幅Ｗ２４が第１幅ＷＸより小さい場合、開口２４を透過する光線の数を低減することができ、視認される画像の解像度を向上することができる。一方で、視認される画像の輝度低下を抑制する観点では、幅Ｗ２４は、少なくとも１副画素分の第１幅ＷＸとほぼ等しいことが望ましい。また、１個の開口２４は、複数の副画素ＳＰに重畳してもよい。
【００１９】
図４は、図３に示した光制御素子２０の一構成例を示す平面図である。光制御素子２０において、複数の光規制体２２は、第１方向Ｘに並んでいる。光規制体２２を構成する遮光体２３及び開口２４は、第１方向Ｘ及び第２方向Ｙとは異なる斜め方向に延出している。遮光体２３の各々は、第１方向Ｘに並んだ一対のエッジＥ２３を有している。一対のエッジＥ２３は、平行である。開口２４は、第１方向Ｘに隣接する遮光体２３の互いに向かい合うエッジＥ２３の間に位置する。
【００２０】
光規制体２２は、図２に示した表示部ＤＡに重畳し、奇数行目ＬＡに位置する副画素ＳＰ、及び、偶数行目ＬＢに位置する副画素ＳＰに跨って直線的に延出している。光規制体２２、遮光体２３、及び、開口２４のそれぞれは、第２方向Ｙに対して角度θ２で傾いている。角度θ２は、角度θ１より小さい。本実施形態では、光規制体２２、遮光体２３、及び、開口２４のそれぞれの延出方向は、エッジＥ２３の延出方向として規定することができる。エッジＥ２３は、第２方向Ｙに対して概略ａｒｃｔａｎ（２／３ｎ）を満たす角度θ２で傾いている。なお、ここでの角度θ２は、第２方向Ｙに対して時計回りの角度であってもよいし、第２方向Ｙに対して反時計回りの角度であってもよい。ｎは、上記の通り、副画素ＳＰの第１幅ＷＸに対する第２幅ＷＹの倍率である。また、ｎは、後述するが、同一視点の画像を表示するための主画素に備えられる副画素の個数に相当する。上記の例では、ｎは３であり、θ２は約１２．５°である。
【００２１】
≪第２構成例≫  
図５は、本実施形態における表示装置１の第２構成例を示す断面図である。図５に示した表示装置１は、図１に示した表示装置１とは異なる光制御素子６０を備えている。光制御素子６０は、複数のレンズ６１を備えている。光制御素子６０は、レンズ面６０Ａ及び平面６０Ｂを有している。光制御素子６０は、その平面６０Ｂが表示パネル１０を向くように配置されている。光制御素子６０は、平面６０Ｂと第２偏光板５２との間の透明樹脂４０により固定されている。第２偏光板５２は、第２基板１２の上面１２Ａに接着されている。光制御素子６０の詳細については後述する。
【００２２】
≪第３構成例≫  
図６は、本実施形態における表示装置１の第３構成例を示す断面図である。図６に示した表示装置１は、図５に示した表示装置１と比較して、光制御素子６０の位置が相違している。すなわち、光制御素子６０は、そのレンズ面６０Ａが第２基板１２に接触している。光制御素子６０は、詳述しないが表示パネル１０の外周に固定されていることが望ましい。第２偏光板５２は、光制御素子６０の平面６０Ｂに接着されている。光制御素子６０の詳細については後述する。
【００２３】
図７は、光制御素子６０の一構成例を示す断面図である。ここでは、図５に示した第２構成例の光制御素子６０を例に説明する。複数のレンズ６１を備えた光制御素子６０は、透明なガラスや樹脂などによって形成されている。レンズ６１は、光制御部として機能する。レンズ６１は、第１方向Ｘに並んだ複数の副画素ＳＰに重畳する。図示した副画素ＳＰは、図５に示した表示パネル１０に備えられている。レンズ６１は、第１方向Ｘに沿って幅Ｗ６１を有している。一例では、第１方向Ｘに並んだ２個のレンズ６１は、２３個の副画素ＳＰに重畳している。
【００２４】
なお、図７に示した例では、光制御素子６０の平面６０Ｂが副画素ＳＰに対向しているが、図６に示した第３構成例の如く、光制御素子６０のレンズ面６０Ａが副画素ＳＰに対向していてもよい。
【００２５】
図８は、光制御素子６０の一構成例を示す平面図である。ここに示した光制御素子６０は、図５に示した第２構成例、及び、図６に示した第３構成例のいずれにも適用可能である。光制御素子２０において、複数のレンズ６１は、第１方向Ｘに並んでいる。レンズ６１は、第１方向Ｘ及び第２方向Ｙとは異なる方向に延出している。レンズ６１の各々は、第１方向Ｘに並んだ一対のエッジＥ６１を有している。一対のエッジＥ６１は、平行である。  
レンズ６１は、図２に示した表示部ＤＡに重畳し、奇数行目ＬＡに位置する副画素ＳＰ、及び、偶数行目ＬＢに位置する副画素ＳＰに跨って直線的に延出している。レンズ６１は、第１構成例と同様に、第２方向Ｙに対して角度θ２で傾いている。本実施形態では、レンズ６１の延出方向は、エッジＥ６１の延出方向として規定することができる。エッジＥ６１は、第２方向Ｙに対して概略ａｒｃｔａｎ(２／３ｎ)を満たす角度θ２で傾いている。
【００２６】
≪光制御の具体例≫  
以下、上記の光規制体２２及びレンズ６１を光制御部１００として説明する。光制御部１００は、副画素ＳＰの各々から出射される光線を制御するものである。
【００２７】
図９は、表示部ＤＡにおける副画素ＳＰのレイアウトの第１例を示す図である。表示部ＤＡは、図中の太線で囲んだ画素群Ｇを備えている。画素群Ｇは、Ｌ視点の画像を表示するための複数の副画素ＳＰを備えている。Ｌは、２以上の自然数である。図９に示した例では、副画素ＳＰは、第２方向Ｙに沿った長辺を有する長方形状に形成されている。なお、後述するように、副画素ＳＰは、他の形状に形成されていてもよい。ここで述べる視点とは、図１０Ａ及び図１０Ｂを参照して後述するが、観察面ＶＰにおいて反時計回りに順に並んだ観察位置を示している。図９において各副画素ＳＰに記した数字は、視点の番号を示している。
【００２８】
画素群Ｇにおいて、複数の副画素ＳＰは、第１方向Ｘ及び第２方向Ｙにマトリクス状に並んでいる。一例では、Ｌは７１であり、１視点当たり、赤副画素ＳＰＲ、緑副画素ＳＰＧ、及び、青副画素ＳＰＢの３個の副画素ＳＰが存在する場合、画素群Ｇは、２１３（＝７１＊３）個の副画素ＳＰを備えている。画素群Ｇにおいては、第１方向Ｘに沿って２３個または２４個の副画素ＳＰが並び、第２方向Ｙに沿って９個の副画素ＳＰが並んでいる。
【００２９】
本実施形態では、１個の画素群Ｇには、第１方向Ｘに並んだｍ個の光制御部１００が重畳する。ｍは、２以上の自然数である。隣接する光制御部１００のピッチＰは、以下の式（１）を満たす。  
Ｐ＝Ｌ／３ｍ…（１）  
ピッチＰは、光制御部１００の第１方向Ｘに沿った幅１００Ｗと実質的に同一である。換言すると、１個の光制御部１００は、第１方向Ｘに並んだＰ個の副画素ＳＰに重畳している。つまり、幅１００Ｗは、副画素ＳＰの第１幅ＷＸのＰ倍の長さに相当する。  
なお、Ｐの値は、１個の副画素ＳＰの差分を許容できる。つまり、Ｐの値は、以下の式（２）で定義することもできる。  
Ｐ＝（Ｌ／３ｍ）±１…（２）  
図９に示した例では、赤副画素ＳＰＲ、緑副画素ＳＰＧ、及び、青副画素ＳＰＢがほぼ同一の第１幅ＷＸを有している。しかしながら、赤副画素ＳＰＲ、緑副画素ＳＰＧ、及び、青副画素ＳＰＢのすべてが第１方向Ｘに沿って同一の幅を有していない場合もありうる。このような場合には、第１幅ＷＸは、赤副画素ＳＰＲ、緑副画素ＳＰＧ、及び、青副画素ＳＰＢのそれぞれの第１方向Ｘに沿った幅の平均値（あるいは、表示部ＤＡにおいて第１方向Ｘに並んだすべての副画素ＳＰの第１方向Ｘに沿った幅の平均値）として定義する。
【００３０】
図９に示した例は、Ｌが７１であり、ｍが２である場合に相当する。したがって、上記の式（１）に基づくと、Ｐは約１１．８である（Ｐ＝７１／６）。すなわち、第１光制御部１００Ａ及び第２光制御部１００Ｂは、第１方向Ｘに並び、これらの２個の光制御部１００Ａ及び１００Ｂは、１個の画素群Ｇに重畳している。第１光制御部１００Ａ及び第２光制御部１００Ｂの各々は、第１方向Ｘに並んだ約１１．８個の副画素ＳＰに重畳している。第１光制御部１００Ａ及び第２光制御部１００Ｂは、いずれも第１方向Ｘに沿って同一の幅１００Ｗを有している。ピッチＰまたは幅１００Ｗは、副画素ＳＰの第１幅ＷＸの約１１．８倍に相当する。また、上記の式（２）に基づくと、ピッチＰまたは幅１００Ｗは、副画素ＳＰの第１幅ＷＸの約（１１．８±１）倍に相当する。例えば、第１幅ＷＸが１００μｍである場合には、ピッチＰまたは幅１００Ｗは、１０８０μｍ〜１２８０μｍである。
【００３１】
図９に示した例では、画素群Ｇは、複数の視点のうち、奇数番目の視点に対応した副画素ＳＰを備える第１ブロックＧＡと、偶数番目の視点に対応した副画素ＳＰを備える第２ブロックＧＢと、を備えている。第１ブロックＧＡ及び第２ブロックＧＢは、第１方向Ｘに並んでいる。つまり、第１ブロックＧＡは、１乃至７１個の視点のうち、奇数番目の視点に対応した１０８（＝３６＊３）個の副画素を備えている。また、第２ブロックＧＢは、１乃至６９個の視点のうち、偶数番目の視点に対応した１０５（＝３５＊３）個の副画素を備えている。  
第１光制御部１００Ａは、平面視で、第１ブロックＧＡに重畳している。第２光制御部１００Ｂは、平面視で、第２ブロックＧＢに重畳している。
【００３２】
図１０Ａは、仮想の観察面ＶＰにおける視点と、観察される副画素ＳＰとの関係を示す図である。図１０Ａは、第１光制御部１００Ａと、第１ブロックＧＡの各副画素ＳＰとの関係を示す図に相当する。一例では、上記の通りＬは７１であり、観察面ＶＰにおいて、７１個の視点「１」〜「７１」が存在している。  
図１０Ａにおいては、観察面ＶＰには、奇数番目の視点が存在するが、代表的な視点「１」〜「６７」を表記し、また、これらの視点「１」〜「６７」にそれぞれ対応した視線Ｖ１〜Ｖ６７が図示されている。視線Ｖ１〜Ｖ６７は、第１光制御部１００Ａによって規制された光線とみなすことができる。視線Ｖ１〜Ｖ６７は、観察面ＶＰの各視点に観察者の眼が位置するものとしたときに、視点「１」〜「６７」の各々と、第１行目ａ１の副画素ＳＰの各々と、を結ぶ線分である。  
なお、観察面ＶＰにおける視点「１」及び「７」の間には、図示しない視点「３」及び「５」が存在する。また、視線Ｖ１及びＶ７の間には、図示しない視線Ｖ３及びＶ５が存在する。視線Ｖ３は、視点「３」と、第３行目ａ３に「３」と記した副画素ＳＰと、を結ぶ線分である。視線Ｖ５は、視点「５」と、第２行目ａ２に「５」と記した副画素ＳＰと、を結ぶ線分である。
【００３３】
第１ブロックＧＡにおいて、第１行目ａ１には、（６ｃ−５）で表される視点から観察される副画素ＳＰが配置されている。但し、ｃは１以上の整数である。第２行目ａ２には、（６ｃ−１）で表される視点から観察される副画素ＳＰが配置されている。第３行目ａ３には、（６ｃ−３）で表される視点から観察される副画素ＳＰが配置されている。
【００３４】
図１０Ｂは、仮想の観察面ＶＰにおける視点と、観察される副画素ＳＰとの関係を示す図である。図１０Ｂは、第２光制御部１００Ｂと、第２ブロックＧＢの各副画素ＳＰとの関係を示す図に相当する。図１０Ｂにおいては、観察面ＶＰには、偶数番目の視点が存在するが、代表的な視点「２」〜「６８」を表記し、また、これらの視点「２」〜「６８」にそれぞれ対応した視線Ｖ２〜Ｖ６８が図示されている。視線Ｖ２〜Ｖ６８は、第２光制御部１００Ｂによって規制された光線とみなすことができる。視線Ｖ２〜Ｖ６８は、観察面ＶＰの各視点に観察者の眼が位置するものとしたときに、視点「２」〜「６８」の各々と、第１行目ａ１の副画素ＳＰの各々と、を結ぶ線分である。  
なお、観察面ＶＰにおける視点「２」及び「８」の間には、図示しない視点「４」及び「６」が存在する。また、視線Ｖ２及びＶ８の間には、図示しない視線Ｖ４及びＶ６が存在する。視線Ｖ４は、視点「４」と、第３行目ａ３に「４」と記した副画素ＳＰと、を結ぶ線分である。視線Ｖ６は、視点「６」と、第２行目ａ２に「６」と記した副画素ＳＰと、を結ぶ線分である。
【００３５】
第２ブロックＧＢにおいて、第１行目ａ１には、（６ｃ−４）で表される視点から観察される副画素ＳＰが配置されている。第２行目ａ２には、（６ｃ）で表される視点から観察される副画素ＳＰが配置されている。第３行目ａ３には、（６ｃ−２）で表される視点から観察される副画素ＳＰが配置されている。
【００３６】
図１０Ａ及び図１０Ｂを参照して説明した通り、観察面ＶＰには７１個の視点「１」〜「７１」が存在し、表示部ＤＡには「１」〜「７１」と記した７１個の副画素ＳＰが存在し、観察面ＶＰと表示部ＤＡとの間には、対応する７１本の視線Ｖ１〜Ｖ７１が存在する。
【００３７】
第１方向Ｘに並んだ複数の副画素ＳＰは、対応する視点から観察した際の画像を表示する。観察面ＶＰに位置する観察者は、第１光制御部１００Ａ及び第２光制御部１００Ｂを介して表示部ＤＡを観察した際に、視線Ｖ１〜Ｖ７１のいずれかを通して副画素ＳＰを視認することができる。観察者の右眼と左眼とでは、観察面ＶＰにおける視点が異なる。このため、観察者は、複数の視点で異なる画像を観察することによって視差を認識し、画像の立体感を得ることができる。また、観察者が観察面ＶＰに沿って視点を変化させた際には、７１個の各視点に応じた画像を観察することができ、より自然な立体感を得ることができる。
【００３８】
再び、図９に戻って副画素ＳＰのレイアウトについて説明する。  
図９において同一の数字が記された副画素ＳＰは、同一の視点で観察される副画素に相当する。画素群Ｇは、第２方向Ｙに連続して並んだ３行分において、全部で７１個の副画素ＳＰを備えている。これらの７１個の副画素ＳＰは、それぞれ異なる７１個の視点から観察される。
【００３９】
第１行目ａ１、第４行目ａ４、及び、第７行目ａ７は、同様に配置された副画素ＳＰを備えている。第１行目ａ１、第４行目ａ４、及び、第７行目ａ７のそれぞれの副画素ＳＰは、第１ブロックＧＡにおいて（６ｃ−５）で表される視点に対応した画像を表示し、第２ブロックＧＢにおいて（６ｃ−４）で表される視点に対応した画像を表示する。
【００４０】
第２行目ａ２、第５行目ａ５、及び、第８行目ａ８は、同様に配置された副画素ＳＰを備えている。第２行目ａ２、第５行目ａ５、及び、第８行目ａ８のそれぞれの副画素ＳＰは、第１ブロックＧＡにおいて（６ｃ−１）で表される視点に対応した画像を表示し、第２ブロックＧＢにおいて（６ｃ）で表される視点に対応した画像を表示する。
【００４１】
第３行目ａ３、第６行目ａ６、及び、第９行目ａ９は、同様に配置された副画素ＳＰを備えている。第３行目ａ３、第６行目ａ６、及び、第９行目ａ９のそれぞれの副画素ＳＰは、第１ブロックＧＡにおいて（６ｃ−３）で表される視点に対応した画像を表示し、第２ブロックＧＢにおいて（６ｃ−２）で表される視点に対応した画像を表示する。
【００４２】
連続した３行分の副画素ＳＰには、同一の視点において観察される赤副画素ＳＰＲ、緑副画素ＳＰＧ、及び、青副画素ＳＰＢのいずれかが含まれる。また、同一の視点においてカラー表示を実現すべく、連続した９行分の副画素ＳＰには、赤副画素ＳＰＲ、緑副画素ＳＰＧ、及び、青副画素ＳＰＢのすべてが含まれる。  
すなわち、同一の視点から観察される第１色の副画素は第１行目ａ１から第３行目ａ３までに含まれ、第１色とは異なる第２色の副画素は第４行目ａ４から第６行目ａ６までに含まれ、第１色及び第２色とは異なる第３色の副画素は第７行目ａ７から第９行目ａ９までに含まれる。一例では、視点「１」から観察した場合、第１行目ａ１に赤副画素ＳＰＲが含まれ、第４行目ａ４に緑副画素ＳＰＧが含まれ、第７行目ａ７に青副画素ＳＰＢが含まれる。これら、同一視点の画像を表示する赤副画素ＳＰＲ、緑副画素ＳＰＧ、及び、青副画素ＳＰＢは、第１光制御部１００Ａのエッジ１００Ｅが延出する方向に並んでいる。
【００４３】
図１１は、図９に示した画素群Ｇのレイアウトを説明するための図である。第１方向Ｘに並んだ画素群Ｇは、０°より大きい角度θ３の傾きを持って配置されている。つまり、第１方向Ｘに隣接する画素群Ｇは、第２方向Ｙにずれて配置されている。角度θ３は、第１方向Ｘに対して時計回りの角度であってもよいし、第１方向Ｘに対して反時計回りの角度であってもよい。図４に示したエッジＥ２３の延出方向、または、図８に示したレンズ６１の延出方向は、例えば第２方向Ｙに対して時計回りに鋭角の角度θ２で傾いている。このとき、隣接する画素群Ｇも、第１方向Ｘ対して時計回りに鋭角の角度θ３を持って配置されている。なお、エッジＥ２３またはレンズ６１の延出方向が第２方向Ｙに対して反時計回りに角度θ２で傾いている場合、隣接する画素群Ｇも、第１方向Ｘ対して反時計回りに角度θ３を持って配置される。つまり、角度θ２及びθ３は、Ｘ−Ｙ平面において基準方向に対して同一回転方向の角度である。
【００４４】
一例では、図９に示した画素群Ｇは、第１行目ａ１に、視点「１」の赤副画素ＳＰＲを含んでいる。画素群Ｇに隣接する画素群Ｇ’は、第２行目ａ２に、視点「１」の青副画素ＳＰＢを含んでいる。画素群Ｇの第１行目ａ１に２４個の副画素が並び、１個の副画素の第２幅ＷＹが第１幅ＷＸの約３倍である場合、角度θ３は、概略ａｒｃｔａｎ（１／８）を満たし、約７°である。なお、角度θ３は、画素群Ｇが備える副画素ＳＰの個数、副画素ＳＰのレイアウト、Ｌ、ｍ、ｎのそれぞれの値などに応じて最適な値が異なるものである。
【００４５】
図１２は、表示部ＤＡにおける副画素ＳＰのレイアウトの第２例を示す図である。図１２に示した第２例は、図９に示した第１例と比較して、視点の個数Ｌが４４であり、画素群Ｇに重畳する光制御部１００の個数ｍが３である点で相違している。
【００４６】
表示部ＤＡは、図中の太線で囲んだ画素群Ｇを備えている。１視点当たり、赤副画素ＳＰＲ、緑副画素ＳＰＧ、及び、青副画素ＳＰＢの３個の副画素ＳＰが存在するため、画素群Ｇは、１３２（＝４４＊３）個の副画素ＳＰを備えている。画素群Ｇにおいては、第１方向Ｘに沿って１４個または１５個の副画素ＳＰが並び、第２方向Ｙに沿って９個の副画素ＳＰが並んでいる。
【００４７】
Ｌが４４であり、ｍが３である場合、上記の式（１）に基づくと、Ｐは約４．９である（Ｐ＝４４／９）。第１光制御部１００Ａ、第２光制御部１００Ｂ、及び、第３光制御部１００Ｃは、第１方向Ｘに並び、１個の画素群Ｇに重畳している。第１光制御部１００Ａ、第２光制御部１００Ｂ、及び、第３光制御部１００Ｃの各々は、第１方向Ｘに並んだ約４．９個の副画素ＳＰに重畳している。第１光制御部１００Ａ、第２光制御部１００Ｂ、及び、第３光制御部１００Ｃは、いずれも第１方向Ｘに沿って同一の幅１００Ｗを有している。ピッチＰは、幅１００Ｗと実質的に同一である。ピッチＰまたは幅１００Ｗは、副画素ＳＰの第１幅ＷＸの約４．９倍に相当する。
【００４８】
また、上記の式（２）に基づくと、ピッチＰまたは幅１００Ｗは、副画素ＳＰの第１幅ＷＸの約（４．９±１）倍に相当する。
【００４９】
画素群Ｇは、第１ブロックＧＡ、第２ブロックＧＢ、及び、第３ブロックＧＣを備えている。第１ブロックＧＡ、第２ブロックＧＢ、及び、第３ブロックＧＣは、第１方向Ｘに並んでいる。第１ブロックＧＡは、複数の視点のうち、（３ｃ−２）で表される視点から観察される副画素ＳＰを備えている。第２画素ブロックＧＢは、複数の視点のうち、（３ｃ−１）で表される視点から観察される副画素ＳＰを備えている。第２画素ブロックＧＢは、複数の視点のうち、（３ｃ）で表される視点から観察される副画素ＳＰを備えている。但し、ｃは１以上の整数である。
【００５０】
平面視において、第１光制御部１００Ａは第１ブロックＧＡに重畳し、第２光制御部１００Ｂは第２ブロックＧＢに重畳し、第３光制御部１００Ｃは第３ブロックＧＣに重畳している。
【００５１】
画素群Ｇは、第２方向Ｙに連続して並んだ３行分において、全部で４４個の副画素ＳＰを備えている。これらの４４個の副画素ＳＰは、それぞれ異なる４４個の視点から観察される。第１行目ａ１、第４行目ａ４、及び、第７行目ａ７は、同様に配置された副画素ＳＰを備えている。第２行目ａ２、第５行目ａ５、及び、第８行目ａ８は、同様に配置された副画素ＳＰを備えている。第３行目ａ３、第６行目ａ６、及び、第９行目ａ９は、同様に配置された副画素ＳＰを備えている。連続した３行分の副画素ＳＰには、同一の視点において観察される赤副画素ＳＰＲ、緑副画素ＳＰＧ、及び、青副画素ＳＰＢのいずれかが含まれる。また、同一の視点においてカラー表示を実現すべく、連続した９行分の副画素ＳＰには、赤副画素ＳＰＲ、緑副画素ＳＰＧ、及び、青副画素ＳＰＢのすべてが含まれる。
【００５２】
このような第２例においても、第１方向Ｘに並んだ画素群Ｇは、第２方向Ｙにずれて配置されている。図１２に示した画素群Ｇは、第１行目ａ１に１５個の副画素が並び、１個の副画素の第２幅ＷＹが第１幅ＷＸの約３倍である場合、角度θ３は、概略ａｒｃｔａｎ（１／５）を満たし、約１１°である。
【００５３】
図１３は、表示部ＤＡにおける副画素ＳＰのレイアウトの第３例を示す図である。図１３に示した第３例は、図９に示した第１例と比較して、２１３個の副画素ＳＰが平行四辺形状に形成されている点で相違している。なお、各副画素ＳＰに記した数字は、図９に示した第１例と同一であり、それぞれ視点の番号を示している。図１３に示した第３例においても、視点の個数Ｌは７１であり、画素群Ｇは２１３（＝７１＊３）個の副画素ＳＰを備え、画素群Ｇに重畳する光制御部１００の個数ｍは２である。第１光制御部１００Ａは第１ブロックＧＡに重畳し、第２光制御部１００Ｂは第２ブロックＧＢに重畳している。
【００５４】
図１４は、表示部ＤＡにおける副画素ＳＰのレイアウトの第４例を示す図である。図１４に示した第４例は、図１２に示した第２例と比較して、１３２個の副画素ＳＰが平行四辺形状に形成されている点で相違している。なお、各副画素ＳＰに記した数字は、図１２に示した第３例と同一であり、それぞれ視点の番号を示している。図１４に示した第４例においても、視点の個数Ｌは４４であり、画素群Ｇは１３２（＝４４＊３）個の副画素ＳＰを備え、画素群Ｇに重畳する光制御部１００の個数ｍは３である。第１光制御部１００Ａ、第２光制御部１００Ｂ、及び、第３光制御部１００Ｃは、画素群Ｇに重畳している。
【００５５】
図１５は、光制御部１００として光規制体２２を適用した場合に観察される副画素ＳＰを示す平面図である。画素群Ｇは、図１３に示した第３例、及び、図１４に示した第４例の通り、平行四辺形状に形成された副画素ＳＰを備えている。光制御素子２０は、画素群Ｇに重畳している。光規制体２２における開口２４は、第１行目ａ１から第９行目ａ９までの副画素ＳＰに跨って直線的に延出している。  
図１５に示した例では、副画素ＳＰにおいて、幅ＷＸを１としたとき、幅ＷＹは３である。角度θ１は１５°であり、角度θ２は１２．５°である。光制御素子２０が画素群Ｇに重畳した状態では、開口２４と、「１」と記された緑副画素ＳＰＧ、青副画素ＳＰＢ、及び、赤副画素ＳＰＲとがそれぞれ重畳する。したがって、図１０Ａに示した視点「１」から観察した際に、対応する緑副画素ＳＰＧ、青副画素ＳＰＢ、及び、赤副画素ＳＰＲを観察することができる。
【００５６】
図１６は、光制御部１００としてレンズ６１を適用した場合に観察される副画素ＳＰを示す平面図である。レンズ６１は、第１行目ａ１から第９行目ａ９までの副画素ＳＰに跨って直線的に延出している。  
図１６に示した例では、副画素ＳＰにおいて、幅ＷＸを１としたとき、幅ＷＹは３である。角度θ１は１５°であり、角度θ２は１２．５°である。光制御素子２０が画素群Ｇに重畳した状態では、「１」と記された緑副画素ＳＰＧ、青副画素ＳＰＢ、及び、赤副画素ＳＰＲがレンズ６１の延出方向に平行な同一直線上に位置する。したがって、図１０Ａに示した視点「１」から観察した際に、対応する緑副画素ＳＰＧ、青副画素ＳＰＢ、及び、赤副画素ＳＰＲを観察することができる。
【００５７】
≪表示画像の立体感の比較≫  
図１７は、比較例の光規制体２２を介して副画素ＳＰを観察する状態を示す図である。１つの光規制体２２は１つの画素群Ｇに重畳し、開口２４は例えば５個分の副画素ＳＰの幅と同等の幅を有している。このような比較例においては、画素群Ｇにおける７１個の視点に対応した副画素ＳＰが１つの開口２４を介して観察される。
【００５８】
図１８は、第１構成例の光規制体２２を介して副画素ＳＰを観察する状態を示す図である。図１８に示した例は、ｍが２である場合に相当する。２つの光規制体２２Ａ及び２２Ｂは、１つの画素群Ｇに重畳している。光規制体２２Ａは遮光体２３Ａ及び開口２４Ａを有し、光規制体２２Ｂは遮光体２３Ｂ及び開口２４Ｂを有している。  
開口２４Ａ及び２４Ｂの各々は、２．５個分の副画素ＳＰの幅と同等の幅を有している。つまり、１つの画素群Ｇに対して重畳する開口２４Ａ及び２４Ｂの総面積は、図１７に示した開口２４の面積と同等である。このような第１構成例においては、画素群Ｇにおける第１ブロックＧＡ（奇数番目の視点に対応した副画素ＳＰ）が１つの開口２４Ａを介して観察されるとともに、第２ブロックＧＢ（偶数番目の視点に対応した副画素ＳＰ）が１つの開口２４Ｂを介して観察される。
【００５９】
このような第１構成例によれば、開口２４Ａ及び２４Ｂの１つを介して観察される副画素ＳＰの個数は、開口２４を介して観察される副画素ＳＰの個数より少ない。つまり、観察者の目に到達する光線の本数は、比較例よりも制限され、観察される視点の個数も制限される。一方で、比較例よりも多くの開口２４Ａ及び２４Ｂを介して、それぞれ異なる視点に対応した副画素ＳＰが観察される。したがって、比較例のように多くの視点に対応した副画素ＳＰが１つの開口２４から同時に観察される場合と比較して、よりクリアな立体感を得ることができる。  
また、開口２４Ａ及び２４Ｂの総面積は、開口２４の面積と同等であるため、観察される表示画像の輝度については、比較例と同等の輝度を得ることができる。
【００６０】
なお、ここでは、光制御部１００の一例として、第１構成例の光規制体２２が適用された場合について説明したが、他の光制御部１００として、第２構成例及び第３構成例のレンズ６１が適用された場合についても同様の効果が得られる。
【００６１】
また、本実施形態によれば、光制御素子２０または６０は、図２に示した表示部ＤＡを備えた表示パネル１０に重畳し、しかも、４°以上１６°以下の角度θ１で傾いた副画素ＳＰに対して、概略ａｒｃｔａｎ（２／３ｎ）を満たす角度θ２で傾いた光制御部を備えている。上記の角度θ１及びθ２を規定したことにより、規則的に配置された副画素ＳＰと、規則的に並んだ光制御部との間でのモアレを抑制することができ、しかも、解像度を向上することができる。
【００６２】
≪副画素ＳＰの形状のバリエーション≫  
図１９は、副画素ＳＰの形状のバリエーションを示す図である。図１９の（Ａ）乃至（Ｄ）においては、第１方向Ｘに並んだ赤副画素ＳＰＲ、緑副画素ＳＰＧ、及び、青副画素ＳＰＢがそれぞれ図示されている。図１９の（Ｅ）においては、第１方向Ｘに並んだ赤副画素ＳＰＲ、緑副画素ＳＰＧ、青副画素ＳＰＢ、及び、白副画素ＳＰＷが図示されている。以下、色に関係なく、副画素ＳＰと称してそれぞれの形状について説明する。
【００６３】
図１９の（Ａ）及び（Ｅ）では、副画素ＳＰの形状は、第２方向Ｙに延出した長方形である。  
図１９の（Ｂ）では、奇数行目ＬＡの副画素ＳＰの形状は、第２方向Ｙに対して時計回りに角度θ１で交差する方向Ｄ１に沿って延出した平行四辺形である。偶数行目ＬＢの副画素ＳＰの形状は、第２方向Ｙに対して反時計回りに角度θ１で交差する方向Ｄ２に沿って延出した平行四辺形である。  
図１９の（Ｃ）では、副画素ＳＰは、方向Ｄ１及びＤ２に沿ってそれぞれ延出したＶ字状に形成されている。  
図１９の（Ｄ）では、副画素ＳＰは、方向Ｄ１及びＤ２に加えて、さらに方向Ｄ３及びＤ４に沿ってそれぞれ延出した弓形状に形成されている。  
なお、図１９の（Ｂ）乃至（Ｄ）に示したそれぞれの例において、白副画素ＳＰＷが追加されてもよい。
【００６４】
本実施形態では、Ｌは７１または４４に限らないし、ｎは３に限らないし、ｍは２または３に限らない。例えば、ｍは３より大きい場合もありうる。また、赤副画素ＳＰＲ、緑副画素ＳＰＧ、青副画素ＳＰＢ、及び、白副画素ＳＰＷが第１方向Ｘに並んだ場合に、ｎは４となる。但し、ｎが４の場合であっても、副画素の色の組合せは種々変更可能である。
【００６５】
以上説明したように、本実施形態によれば、表示品位を改善することが可能な表示装置を提供することができる。
【００６６】
なお、この発明は、上記各実施形態そのものに限定されるものではなく、その実施の段階ではその要旨を逸脱しない範囲で構成要素を変形して具体化できる。また、各実施形態に開示されている複数の構成要素の適宜な組み合せにより種々の発明を形成できる。例えば、各実施形態に示される全構成要素から幾つかの構成要素を削除してもよい。更に、異なる実施形態に亘る構成要素を適宜組み合せてもよい。
【００６７】
本明細書にて開示した構成から得られる表示装置の一例を以下に付記する。  
（１）
第１方向、及び、前記第１方向に対して直交する第２方向に並んだ複数の副画素を備えた表示部と、
前記表示部に重畳する光制御素子と、を備え、
前記表示部は、Ｌ視点の画像を表示するための複数の副画素を備えた画素群を備え、
前記光制御素子は、前記第１方向に並んだ複数の光制御部を備え、
前記光制御部は、前記第１方向及び前記第２方向のいずれとも異なる斜め方向に延出し、
ｍ個の前記光制御部は、前記画素群に重畳し、
Ｌ、ｍは、２以上の自然数であり、
１個の前記光制御部は、前記第１方向に並んだＰ個の前記副画素に重畳し、
Ｐ＝Ｌ／３ｍ
の関係を満たす、表示装置。
（２）
前記副画素は、前記第１方向に沿った第１幅と、前記第２方向に沿った第２幅とを有し、
前記第２幅は、前記第１幅のｎ倍であり、
ｎは、２以上の自然数であり、
前記光制御部は、前記第２方向に対して概略ａｒｃｔａｎ（２／３ｎ）を満たす角度で傾いている、（１）に記載の表示装置。
（３）
前記第１方向に隣接する前記副画素は、互いに異なる色を表示し、
前記第２方向に隣接する前記副画素は、同一色を表示する、（１）または（２）に記載の表示装置。
（４）
前記副画素は、それぞれ平行四辺形に形成され、前記第２方向に対して４°以上１６°以下の角度で傾いている、（１）乃至（３）のいずれか１項に記載の表示装置。
（５）
奇数行目の前記副画素、及び、偶数行目の前記副画素のうち、一方は、前記第２方向に対して時計回りに傾き、他方は、前記第２方向に対して反時計回りに傾いている、（４）に記載の表示装置。
（６）
前記光制御部は、前記第１方向に並んだ複数の前記副画素に重畳する遮光体及び少なくとも１つの前記副画素に重畳する開口を備える光規制体、または、前記第１方向に並んだ複数の前記副画素に重畳するレンズである、（１）乃至（５）のいずれか１項に記載の表示装置。
（７）
前記画素群は、観察面において順に並んだ視点のうち、奇数番目の視点に対応した副画素を備える第１ブロックと、偶数番目の視点に対応した副画素を備える第２ブロックと、を備え、
前記第１ブロック及び前記第２ブロックは、前記第１方向に並んでいる、（１）乃至（６）のいずれか１項に記載の表示装置。
（８）
前記光制御素子は、前記第１ブロックに重畳する第１光制御部と、前記第２ブロックに重畳する第２光制御部と、を備えている、（７）に記載の表示装置。
（９）
前記画素群は、観察面において順に並んだ視点のうち、ｃを１以上の整数としたとき、（３ｃ−２）で表される視点に対応した副画素を備える第１ブロックと、（３ｃ−１）で表される視点に対応した副画素を備える第２ブロックと、（３ｃ）で表される視点に対応した副画素を備える第３ブロックと、を備え、
前記第１ブロック、前記第２ブロック、及び、第３ブロックは、前記第１方向に並んでいる、（１）乃至（６）のいずれか１項に記載の表示装置。
（１０）
前記光制御素子は、前記第１ブロックに重畳する第１光制御部と、前記第２ブロックに重畳する第２光制御部と、前記第３ブロックに重畳する第３光制御部と、を備えている、（９）に記載の表示装置。
（１１）
前記表示部は、同一視点の画像を表示する副画素として、赤副画素、緑副画素、及び、青副画素を備え、
前記赤副画素、前記緑副画素、及び、前記青副画素は、前記光制御部が延出する方向に並んでいる、（１）乃至（１０）のいずれか１項に記載の表示装置。
（１２）
前記赤副画素、前記緑副画素、及び、前記青副画素は、前記画素群における１行目、４行目、及び、７行目にそれぞれ位置している、（１１）に記載の表示装置。
（１３）
前記表示部は、複数の前記画素群を備え、
前記第１方向に隣接する前記画素群は、前記第２方向にずれて配置されている、（１）乃至（１２）のいずれか１項に記載の表示装置。
【符号の説明】
【００６８】
１…表示装置  １０…表示パネル  ２０、６０…光制御素子
ＤＡ…表示部  ＳＰ…副画素  Ｇ…画素群
ＳＰＲ…赤副画素  ＳＰＧ…緑副画素  ＳＰＢ…青副画素
２２…光規制体（光制御部）  ２３…遮光体  ２４…開口
６１…レンズ（光制御部）
１００…光制御部
【図１】
2019204075.tif 000003
【図２】
2019204075.tif 000004
【図３】
2019204075.tif 000005
【図４】
2019204075.tif 000006
【図５】
2019204075.tif 000007
【図６】
2019204075.tif 000008
【図７】
2019204075.tif 000009
【図８】
2019204075.tif 000010
【図９】
2019204075.tif 000011
【図１０Ａ】
2019204075.tif 000012
【図１０Ｂ】
2019204075.tif 000013
【図１１】
2019204075.tif 000014
【図１２】
2019204075.tif 000015
【図１３】
2019204075.tif 000016
【図１４】
2019204075.tif 000017
【図１５】
2019204075.tif 000018
【図１６】
2019204075.tif 000019
【図１７】
2019204075.tif 000020
【図１８】
2019204075.tif 000021
【図１９】
2019204075.tif 000022